(57)【要約】      （修正有）【課題】バイオマス、生物資源を無害燃焼し清熱のクーロン、エネルギーにする。【解決手段】  炉内上部をカスケードの噴射空気をサイクロイドの旋回流に巻き込コアンダ現象を励起させ炭化水素ガスを発生させて燃焼酸化を誘発し順次ガス化タクト的にオーバーフラッシュさせて燃焼し、次に底辺の左部にある装置に誘導し、金属チタンとアルミナと天然ラジュウムの素材でできたプラズマトロン１２に通過させ、高熱赤外線と磁力放射線で分子分解し原子核振動励起を促し、原子レベルにて浄化し、更に、完全に浄化する為に二次炉を設けて稠密炭素９を入れた鉄製網篭８を中間にぶら下げて１２００度に赤熱させ、その外周の間隙を通過させて、完全に浄化させて、汚染されていない大気にして排出する植物ガス化電子炉である。【選択図】図２
2008281321.tif 000002
【特許請求の範囲】
【請求項１】
適寸の鋳造又は鉄製の箱を以って構成し前面に燃料投入口を設け空気パイプをその窓口の上部に鉄パイプを設置し、直線上に適寸の空気吹出口のノズル孔を練続して開孔し空気を２５度の斜め下に吹き付ける様にして、炉内の  空気をサイクロイドの回転流を起し、ガス化が速やかに行われる様に植物を空気にて包み込む様にしてポテンシヤルで燃焼させたコアンダ、オーバーフラッシュの基本原理の宇宙工学上の空気旋回渦流を発生させる様にしたコアンダ原理
【請求項２】
２５度の斜め下に吹きつけたカスケード送風の上部半分はポテンシャル燃焼に燃え上がった猛煙の煙を下半分の新鮮な空気に巻き込んで炉底の左端に誘導しアルミナと天燃ラジウムなど８種類程、混合した、セラミックトロンを通して強力な赤外線とマイナス磁力放射線のトンネルを通過させて猛煙と公害物等を無害化し消煙する様にした機構でプラス電子をもった煤煙をマイナス電子にて清熱にし光熱に変換するプラズマトロン、及びマイナス電子を発生する金属の鋳造製の格子ロストルで構成した、レーザトロン
【請求項３】
原子分野でまだ不純物が多い燃焼ガスを、完全に自然環境の大気にするために更に併設した無煙浄化炉で浄化する装置で、燃焼がす排気筒にて蓄熱レンガで構成した排気筒で、その中に炭素を入れた篭をぶら下げて、１２００度以上に赤熱させ、蓄熱レンガと篭のエコ浄化コアの全周間隙の間を通過させて高熱で浄化させて正常な汚染されていない大気にして排気させる様にした装置であり
蓄熱レンガで構成した排気筒の中に炭素の篭を入れた、エコ浄化コア
【発明の詳細な説明】
【技術分野】
【０００１】本発明は植物専用の燃焼炉であり、一般の燃焼機は煙突を構成焚火の様に下から上に燃え上がる燃焼で、このポテンシャル燃焼法と異なり、植物ガス化燃焼電子炉は天井のある炉内で一部、投入口を設けた開放窓口より植物や薪を投入し、着火して、投入した薪を包みこむ様に空気をサイクロイド回転流でコアンダ現象を起し植物をガス化させ、燃焼ガスを上から下に向けて誘導し最下部にあるプラズマトロンを通過させることに依って赤外線と特殊なセラミックで煤煙や種々の公害物を浄化し元の大気に戻すことにした発明品で更に無煙浄化炉で清熱クーロンにした熱で、取り出された熱は煙突が無い為に９０％以上の、エネルギーが利用できる  地球環境に優さしいバイオマスのエネルギーである、前記を以って為して為る植物ガス化無煙燃焼電子炉である
【背景技術】
【０００２】宇宙工学が基本であり、コアンダ、サイクロイド、炭素融号、四次元理論等で層流、乱流、静圧、全圧等、空気工学、蓄熱炉壁、核振動励起の、新技術、
【発明の開示】
【発明が解決しょうとする課題】
【０００３】煙突のある炉は煙を出す為、一酸化炭素、酸性雨の原因となる煤塵を多く出し地球環境の温暖化の原因になっている、これを、無煙、無害の大気にもどして又は最初からクーロンに原子核振振動励起させてエネルギーにする事を解決し木材や植物を原料とし地球環境の温暖化をストップすることを最大の目的とす
【課題を解決するための手段】
【０００４】この課題を解決するための請求項１の発明は、炉内で空気を上下に回転さしてコアンダ現象でガスを滲出させて炉底に誘導し下部で赤外線と電磁波で猛煙の分子を原子核振動で原子に分解し更に無煙浄化炉で清熱にし公害物を無害化し
正常の大気にして貴重なバイオマス、ネエネルギーを得る手段とす
【０００５】  また、請求項２の発明は、カスケードのコアンダ空気の下部に吹き付けている新鮮な空気に猛煙を巻き込み合流させて下部に誘導させ  セラミックのトロンに通過させて、アルミナと天然ラジゥムで構成されたトロンから発生する赤外線で無害化され更に鋳造製の格子ロストルで電子中和するセラミックのトロン構成
【０００６】  更にエコ浄化コアを併設しセラミックで浄化した燃焼ガスを更に原子レベルで浄化するために別炉で環境に対応した装置で、まず蓄熱レンガで排気炉を作成しその上部から篭をぶら下げその中に稠密炭素を充満し１２００度以上に赤熱して高熱炉にして、その篭と炉壁との間隙との間を通過させて、あらゆる不純物等を無害化、クーロンの清熱にする装置で環境に対応した、エコ浄化コア
【産業上の利用可能性】
【０００７】  枯渇するエネルギーの化石燃料と違い、植物を中心にしたハイオエネルギーは永遠に活用できる、並びに価格が安価で経済的で産業上に貢献するものである、
更に地球温暖化が解決でき重要な宇宙大気が正常な状態に戻すことが可能なる清熱のクーロンエネルギーである、このクーロンエネルギーは光熱で、あらゆる分野に用途があり、暖房、乾燥、炭化、発電、蒸気と、産業上の利用可能は大
【図面の簡単な説明】
【０００８】
【図１】は、植物ガス化無煙燃焼電子炉の本体、斜視図である
【図２】は、各、部位の概要図で、簡単な配置図である、
【図３】は、作用図であり、植物の酸化からクーロンの光熱になる迄の反応プロセスの順位
【符号の説明】
【０００９】１、植物電子炉  本体
２、燃焼ガス排気口
３、植物燃料投入口
４、灰出し窓
５、バーナー、炭、其の他  着火口
６、蓄熱レンガ  赤外線放射用
７、空気ノズル  空気送風管
８、空気誘導板  回転を誘導
９、温水缶  直火で効率最高
１０、ロストル  燃料受格子板
１１、チタンコイル  赤外線放射用
１２、プラズマトロン  核振動励起用
【００１０】図  １  １、植物電子炉    植物、水産物  動物等  燃焼物の投入口
々、  ２、浄化コア      併設した二次炉で原子レベルの浄化用筒
々、  ３、投入窓口      植物  水産物  動物等  燃焼物の投入口
々、  ４、鋳鉄外枠      鋳物、又は鉄製の外枠で密閉式構造物体
々、  ５、着火窓口      最初に着火する為と炉内の加熱バーナー
図  ２、２、浄化  コア    併設した二次炉で原子レベルの浄化用筒
々、  ６、空気ノズル    ２５度の傾斜で空気を吹き付ける開孔口
々、  ７、空気誘導板    空気回転旋回流をスムーズにする為の板
々、  ８、炭素入篭枠    炭素を入れ赤熱させる篭で外周は間隙空
々、  ９、稠密炭素塊    稠密炭素の塊で一般にはコークスという
々、１０、鋳造製格子    鋳物製で赤熱して赤外線を放射する格子
々、１１、金属チタン    コイル状の金属チタンで核振動励起材料
々、１２、プラズマ熱トロン  アルミナとラジユムの材料での素子
図  ３  ▲１▼、植物  水産物  動物  投入    ▲１▼で燃焼物を炉中へ投入
々、  ▲２▼、高熱  赤外線  で  燃  焼    ▲２▼高熱の炉内で自然燃焼
々、  ▲３▼、ポテンシャル燃焼猛炎発生    ▲３▼燃焼は上に向って炎上
々、  ▲４▼、サイクロイド  旋  回  流    ▲４▼で猛煙は旋回流で回転
々、  ▲５▼、燃焼ガス発生  静圧力発生    ▲５▼炭化水素ガス発生膨張
々、  ▲６▼、コアンダー空  気  合  流    ▲６▼で白煙のガスのみ混合
々、  ▲７▼、分子分解した単原子は外へ    ▲７▼軽くなった分子は分離
々、  ▲８▼、新鮮な  空  気と  混  合    ▲８▼で新鮮な酸素と混合を
々、  ▲９▼、プラズマ熱で一次酸化処理    ▲９▼プラズマの放射熱酸化
々、  ▲１０▼、１２００度の  赤熱  酸化  ▲１０▼更に１２００度で清熱
々、  ▲１１▼、浄化コアで二次浄化清熱に  ▲１１▼浄化コアを通過させて
々、  ▲１２▼、地球の無害な  大気で排出  ▲１２▼無害の大気にして排出
【図１】
2008281321.tif 000003
【図２】
2008281321.tif 000004
【図３】
2008281321.tif 000005